(57)【要約】【課題】本発明は、空気の漏洩を防止することのできるカフの提供を目的とする。【解決手段】上記目的を達成するために、本発明に係るカフは、筺体の開放された面を覆う伸縮部材が筺体の外壁面に密着するよう当該伸縮部材を外側から筺体の外壁面に向かって押さえる漏洩防止治具を備えることを特徴とする。具体的には、本発明に係るカフは、１の面が開放された筺体と、当該開放された１の面及び当該１の面に対する前記筺体の外部側面の一部を覆って、前記１の面の側に押圧面を形成する伸縮部材と、前記伸縮部材の前記外部側面の一部を覆う部分を前記筺体の外部側面の方向に押さえる漏洩防止治具と、を備える。【選択図】図１
2006325880.tif 000002
【特許請求の範囲】
【請求項１】
１の面が開放された筺体と、
当該開放された１の面及び当該１の面に対する前記筺体の外部側面の一部を覆って、前記１の面の側に押圧面を形成する伸縮部材と、
前記伸縮部材の前記外部側面の一部を覆う部分を前記筺体の外部側面の方向に押さえる漏洩防止治具と、を備えるカフ。
【請求項２】
前記漏洩防止治具は、前記筺体の外部側面の一部を覆う前記伸縮部材の外側を周回する環状のベルトであることを特徴とする請求項１に記載のカフ。
【請求項３】
前記漏洩防止治具は、両端部にネジで前記両端部を留めるネジ留め機構を有し、前記筺体の外部側面の一部を覆う前記伸縮部材の外側を周回するベルトであることを特徴とする請求項１に記載のカフ。
【請求項４】
前記漏洩防止治具は、両端部に鉤で前記両端部を留める鉤留め機構を有し、前記筺体の外部側面の一部を覆う前記伸縮部材の外側を周回するベルトであることを特徴とする請求項１に記載のカフ。
【請求項５】
前記漏洩防止治具は、前記筺体の外部側面の一部を覆う前記伸縮部材の外側を略半周するＣ字状の弾性体であることを特徴とする請求項１に記載のカフ。
【請求項６】
前記筺体は、前記外部側面を周回する溝を有し、
前記筺体の外部側面の一部を覆う前記伸縮部材を前記溝に押さえる漏洩防止リングをさらに備えることを特徴とする請求項１から５に記載のいずれかのカフ。
【請求項７】
前記漏洩防止治具と前記漏洩防止リングは一体型で構成されていることを特徴とする請求項６に記載のカフ。
【請求項８】
前記伸縮部材と前記漏洩防止リングは一体型で構成されていることを特徴とする請求項６に記載のカフ。
【請求項９】
前記伸縮部材と前記漏洩防止治具と前記漏洩防止リングは一体型で構成されていることを特徴とする請求項６に記載のカフ。
【請求項１０】
１の面が開放された筺体と、
当該開放された１の面及び当該１の面に対する前記筺体の外部側面の一部を覆って、前記１の面の側に押圧面を形成する伸縮部材と、
前記筺体の外部側面に前記筺体と一体に構成され、前記伸縮部材の前記外部側面の一部を覆う部分を前記筺体の外部側面とで挟み込む挟み込み部と、を備えるカフ。  
【請求項１１】
前記筺体は、前記外部側面を周回する溝を有し、
前記筺体の外部側面の一部を覆う前記伸縮部材を前記溝に押さえる漏洩防止リングをさらに備えることを特徴とする請求項１０に記載のカフ。
【請求項１２】
前記挟み込み部を前記筺体の外部側面の方向に押し付ける押し付け機構をさらに備えることを特徴とする請求項１０に記載のカフ。
【請求項１３】
前記開放された１の面が円形であることを特徴とする請求項１から１２に記載のいずれかのカフ。
【請求項１４】
前記開放された１の面が楕円形または長円形であることを特徴とする請求項１から１２に記載のいずれかのカフ。
【発明の詳細な説明】
【技術分野】
【０００１】
本発明は、血圧計に用いられるカフに関する。
【背景技術】
【０００２】
高齢化が進み、成人の生活習慣病への対応が社会的に大きな課題となっている。特に高血圧に関連する疾患の場合、長期の血圧値の収集が非常に重要である点が認識されている。このような観点から、血圧値を始めとして、脈拍、脈波、心電、体温又は動脈血酸素飽和度等の生体情報を継続的に測定する測定装置が開発されている。
【０００３】
生体情報を継続的に測定する測定装置として、外耳道に常時装着する患者モニタ装置がある（例えば、特許文献１参照。）。この装置は、被検体内へ放射した赤外光、可視光の散乱光の受光量から血圧値などを算出するものである。しかし、この患者モニタ装置では、血圧計の具体的な構成は示されていない。また、空気の漏洩を防止する手段が備わっていないので、膨張して被検体の一部を押圧するカフを用いる場合にカフ内の空気が漏洩しやすかった。
【０００４】
ここで、耳介の名称は非特許文献１、２、３による。
【特許文献１】特開平９−１２２０８３号公報
【非特許文献１】Ｓｏｂｏｔｔａ  図説人体解剖学第１巻（監訳者：岡本道雄）、ｐ．１２６、（株）医学書院、１９９６年１０月１日発行
【非特許文献２】Ｓｏｂｏｔｔａ  図説人体解剖学第１巻（監訳者：岡本道雄）、ｐ．１２７、（株）医学書院、１９９６年１０月１日発行
【非特許文献３】からだの地図帳  （監修・解説：高橋長雄）、ｐ．２０、（株）講談社、２００４年１月２９日発行
【発明の開示】
【発明が解決しようとする課題】
【０００５】
本発明は、空気の漏洩を防止することのできるカフの提供を目的とする。
【課題を解決するための手段】
【０００６】
上記目的を達成するために、本発明に係るカフは、筺体の開放された面を覆う伸縮部材が筺体の外壁面に密着するよう当該伸縮部材を外側から筺体の外壁面に向かって押さえる漏洩防止治具を備えることを特徴とする。
【０００７】
具体的には、本発明に係るカフは、１の面が開放された筺体と、当該開放された１の面及び当該１の面に対する前記筺体の外部側面の一部を覆って、前記１の面の側に押圧面を形成する伸縮部材と、前記伸縮部材の前記外部側面の一部を覆う部分を前記筺体の外部側面の方向に押さえる漏洩防止治具と、を備える。
【０００８】
筺体の前記１の面を覆う伸縮部材が伸縮するので、筺体内の空気圧を増大して被検体の一部を押圧面で押圧することができる。このとき、筺体内と筺体外の気圧差が大きくなっても、漏洩防止治具が筺体の外部側面側の伸縮部材を押さえているので、筺体と伸縮部材との間からの空気の漏洩を防止し、かつ、伸縮部材の筺体からの脱落を容易に防止することができる。したがって、空気の漏洩を防止することのできるカフを提供することができる。
【０００９】
前記漏洩防止治具は、前記筺体の外部側面の一部を覆う前記伸縮部材の外側を周回する環状のベルトであることが好ましい。
【００１０】
環状であるので、筺体の外部側面に配置されている伸縮部材を効率よく押さえることができる。これにより、カフからの空気の漏洩をより効率的に防止することができる。
【００１１】
前記漏洩防止治具は、両端部にネジで前記両端部を留めるネジ留め機構を有し、前記筺体の外部側面の一部を覆う前記伸縮部材の外側を周回するベルトであることが好ましい。
【００１２】
ネジ留め機構を用いて両端部の距離を調整することができるので、弾性の小さな部材のベルトであっても漏洩防止治具を構成することができる。弾性の小さなベルトは長期にわたり安定して伸縮部材を押さえ続けることができるので、カフからの空気の漏洩をより効率的に防止することができる。また、弾性の大きな部材であっても、ネジ留め機構で安定して装着することができる。
【００１３】
前記漏洩防止治具は、両端部に鉤で前記両端部を留める鉤留め機構を有し、前記筺体の外部側面の一部を覆う前記伸縮部材の外側を周回するベルトであることが好ましい。
【００１４】
両端部を留める鉤留め機構を有するで、漏洩防止治具を簡単に着脱できる。これにより、空気の漏洩を簡単に防止することができる。また、漏洩防止治具の筺体からの脱落を容易に防止することができる。
【００１５】
前記漏洩防止治具は、前記筺体の外部側面の一部を覆う前記伸縮部材の外側を略半周するＣ字状の弾性体であることが好ましい。
【００１６】
Ｃ字状の弾性体であるので、着脱が容易である。また、漏洩防止治具の筺体からの脱落を容易に防止することができる。
【００１７】
前記筺体は、前記外部側面を周回する溝を有し、前記筺体の外部側面の一部を覆う前記伸縮部材を前記溝に押さえる漏洩防止リングをさらに備えることが好ましい。
【００１８】
漏洩防止リングが筺体の外部側面を周回する溝に伸縮部材を押さえるので、伸縮部材を筺体に密着させることができる。また、伸縮部材及び漏洩防止治具の筺体からの脱落を容易に防止することができる。
【００１９】
前記漏洩防止治具と前記漏洩防止リングは一体型で構成されていることが好ましい。
【００２０】
漏洩防止治具と漏洩防止リングが一体であるので、漏洩防止治具を適切な位置に装着することが容易になる。また、漏洩防止治具の脱落を容易に防止することができる。また、漏洩防止治具は漏洩防止リングを効率よく押さえることができる。
【００２１】
前記伸縮部材と前記漏洩防止リングは一体型で構成されていることが好ましい。
【００２２】
伸縮部材と漏洩防止リングが一体であるので、伸縮部材の脱落を容易に防止することができる。また、伸縮部材及び漏洩防止治具を適切な位置に装着することが容易になる。
【００２３】
前記伸縮部材と前記漏洩防止治具と前記漏洩防止リングは一体型で構成されていることが好ましい。
【００２４】
伸縮部材と漏洩防止治具と漏洩防止リングが一体であるので、伸縮部材、漏洩防止治具及び漏洩防止リングの筺体の溝への装着が容易である。これにより、伸縮部材、漏洩防止治具及び漏洩防止治具を適切な位置に装着することが容易になるので、カフからの空気の漏洩をより効率的に防止することができる。また、伸縮部材、漏洩防止治具及び漏洩防止リングの脱落を容易に防止することができる。
【００２５】
また、本発明に係るカフは、１の面が開放された筺体と、当該開放された１の面及び当該１の面に対する前記筺体の外部側面の一部を覆って、前記１の面の側に押圧面を形成する伸縮部材と、前記筺体の外部側面に前記筺体と一体に構成され、前記伸縮部材の前記外部側面の一部を覆う部分を前記筺体の外部側面とで挟み込む挟み込み部と、を備えることを特徴とする。  
【００２６】
筺体の前記１の面を覆う伸縮部材が伸縮するので、筺体内の空気圧を増大して被検体の一部を押圧面で押圧することができる。このとき、筺体内と筺体外の気圧差が大きくなっても、挟み込み部が筺体の外部側面側の伸縮部材を押さえているので、筺体と伸縮部材との間からの空気の漏洩を防止し、かつ、伸縮部材の筺体からの脱落を容易に防止することができる。したがって、空気の漏洩を防止することのできるカフを提供することができる。
【００２７】
前記筺体は、前記外部側面を周回する溝を有し、前記筺体の外部側面の一部を覆う前記伸縮部材を前記溝に押さえる漏洩防止リングをさらに備えることが好ましい。
【００２８】
漏洩防止リングが筺体の外部側面を周回する溝に伸縮部材を押さえるので、伸縮部材を筺体に密着させることができる。また、伸縮部材の筺体からの脱落を容易に防止することができる。
【００２９】
前記挟み込み部を前記筺体の外部側面の方向に押し付ける押し付け機構をさらに備えることが好ましい。
【００３０】
押し付け機構が挟み込み部を筺体の外部側面に押し付けるので、伸縮部材の脱落を容易に防止することができる。また、挟み込み部が伸縮部材を押さえる力を強くすることができるので、カフからの空気の漏洩をより効率的に防止することができる。
【００３１】
前記開放された１の面が円形であることが好ましい。
【００３２】
筺体の開放された面が円形であるので、押圧面の押圧圧力の均一性を保つことができる。また、伸縮部材を均等に伸縮させることができるので、筺体の外部側面の特定の一部からの空気の漏洩を防ぐことができる。
【００３３】
前記開放された１の面が楕円形または長円形であることが好ましい。
【００３４】
筺体の開放された面が楕円形または長円形であるので、押圧面の押圧圧力の均一性を保ちつつ、狭い部位に対しても動脈に沿ってカフを装着することができる。
【発明の効果】
【００３５】
本発明によれば、被検体を押圧する伸縮部材を筺体の外壁面に向かって押さえる漏洩防止治具を備えるので、空気の漏洩を防止することのできるカフを提供することができる。
【発明を実施するための最良の形態】
【００３６】
添付の図面を参照して本発明の実施の形態を説明する。以下に説明する実施の形態は本発明の構成の例であり、本発明は、以下の実施の形態に制限されるものではない。
【００３７】
（実施形態１）
図１は、実施形態１に係るカフの断面図である。図１に示すカフ９１は、１の面３１が開放された筺体１１と、当該開放された１の面３１及び当該１の面３１に対する筺体の外部側面３２の一部を覆って、１の面３１の側に押圧面３３を形成する伸縮部材１２と、伸縮部材１２が筺体の外部側面３２の一部を覆う部分３４を筺体の外部側面３２の方向Ａに押さえる漏洩防止治具１３と、を備える。
【００３８】
カフ９１は、筺体の外部側面３２の一部を覆う伸縮部材１２を筺体１１の溝３５に押さえる漏洩防止リング１４と、筺体１１内へ空気を供給又は排出する空気流路１５と、を含む。また、図１では、押圧面３３が押圧する被検体１０１が示されている。
【００３９】
なお、図１では、筺体１１と漏洩防止治具１３との間に伸縮部材１２及び漏洩防止リング１４が配置されているが、これに限らない。筺体１１と漏洩防止治具１３との間に漏洩防止リング１４が配置されていなくてもよい。例えば、漏洩防止治具１３は、漏洩防止リング１４よりも押圧面３３側に配置されていてもよいし、その反対側でもよい。また、空気流路１５の接続される位置は、筺体の底部３６である必要はなく、例えば筺体の外部側面３２であってもよい。
【００４０】
筺体１１は、例えば、１の面３１が開放された容器である。容器は、漏洩防止治具１３及び漏洩防止リング１４からの力で変形しないものが好ましい。例えば、金属製又はプラスチック製のものである。容器の形状は、限定するものではなく、例えば、有底の筒体がある。
【００４１】
図２は、筺体の第１形態を示す上面図である。図２に示す第１筺体１１ａは、開放された１の面３１が円形となっている。第１筺体１１ａは、図１に示す筺体１１の溝３５はなく、底面に空気流路１５が接続されている。開放された１の面３１は、例えば、筺体１１の開口部の押圧面３３への投影形状である。また、筺体１１の開口部の外壁面の形状としてもよい。円の大きさは限定するものではなく、被検体を押圧する面積に応じて設定することが好ましい。筺体１１の開放された１の面３１が円形であれば、図１に示す押圧面３３の押圧圧力の均一性を保つことができる。また、伸縮部材１２を均等に伸縮させることができる。伸縮部材が均等に伸縮すれば、筺体の外部側面の特定の一部からの空気の漏洩を防ぐことができるので、カフからの空気の漏洩をより効率的に防止することができる。
【００４２】
図３は、筺体の第２形態を示す上面図である。図３に示す第２筺体１１ｂは、開放された１の面３１が長円形となっている。第２筺体１１ｂは、図１に示す溝３５はなく、底面に空気流路１５が接続されている。長円形の形状は限定しない。例えば、図３に示すように、短軸方向の端部が直線状になっていてもよい。また、楕円形であってもよい。図１に示されている筺体１１の開放された１の面３１が楕円形または長円形であるので、押圧面３３の押圧圧力の均一性を保ちつつ、狭い部位に対しても動脈に沿ってカフ９１を装着することができる。
【００４３】
図４は、図１に示す筺体１１のピックアップ図である。図４に示す筺体１１ｃは、筺体１１ｃの外部側面３２に、筺体の外部側面３２を周回する溝３５を有する。溝３５の断面形状は、例えば、図４に示すような半円形等の円形の一部でもよいし、四角形、台形又は三角形であってもよい。また、溝３５の深さは限定するものではなく、漏洩防止リング１４の太さよりも深くてもよいし、浅くてもよい。筺体１１ｃが外部側面３２を周回する溝を有するので、伸縮部材１２と筺体１１とを容易に密着させることができる。また、図１に示すカフ９１は、開放された１の面３１側への漏洩防止リング１４及び漏洩防止治具１３の移動を防ぐことができるので、伸縮部材１２及び漏洩防止治具１３の筺体１１からの脱落を容易に防止することができる。
【００４４】
図１に示す空気流路１５は、筺体の内部１へ空気を供給又は排出する中空管である。中空管は、例えば、シリコン等の樹脂製、ゴム製又は金属製のものを用いることができる。中空管の断面形状は限定するものではなく、例えば、円形でもよいし、方形でもよい。中空管は、樹脂またはゴム等の柔軟な素材からなるものが好ましく、柔軟であればアーム装着時の被検体への負担を軽減することができる。
【００４５】
伸縮部材１２は、開放された１の面３１及び１の面３１に対する筺体の外部側面３２の一部を覆って、１の面３１の側に押圧面３３を形成するものである。伸縮部材１２は、例えば、樹脂又はゴム等の伸縮性のある部材である。また、伸縮部材１２は、プリーツ状に部材が折り重なって伸縮性を持たせているものでもよい。伸縮部材１２の材料としては、例えば、樹脂、ゴム、布又は紙を用いることができる。樹脂は、汎用プラスチック材料であってもよく、例えば、ポリエチレン、ポリプロピレン、ポリ塩化ビニル、ポリ酢酸ビニル又はこれらの共重合体がある。ゴムは、例えば、天然ゴム、スチレンゴム、ブチルゴム、ニトリルゴム、クロロブチレンゴム、ナオブチレンゴム、エチレン・プロピレンゴム、ハイパロン、アクリルゴム、ウレタンゴム、シリコーンゴム又はフッ素ゴムがある。布又は紙は、気密性のあるものが好ましく、例えば、ポリマーの塗装されている不織布がある。また、伸縮部材１２の材料は、シリコン樹脂等の光を通すものであってもよい。また、伸縮部材１２の材料は、シリコン樹脂、天然ゴム、ブチルゴム等の弾性を有するものが好ましい。プリーツ状に部材が折り重なって伸縮性を持たせているものでもよい。１の面３１及び外部側面３２の一部を覆う面積を有しており、１の面３１から外部側面３２へ折り曲げることのできる柔軟性のあるものが好ましい。また、伸縮部材１２は、１の面３１及び外部側面３２の形状に合わせた形状となっていてもよい。なお、１の部材で構成されているものである必要はなく、２以上の部材で構成されていてもよい。この場合、少なくとも押圧面となる部分が、全体として伸縮性を有していればよい。
【００４６】
漏洩防止リング１４は、筺体の外部側面３２の一部を覆う伸縮部材１２を溝３５に押さえるものである。すなわち、漏洩防止リング１４は、伸縮部材１２に対して方向Ａへ力を加えるものである。漏洩防止リング１４としては、例えば、方向Ａへ復元力の働く環状の弾性体を用いることができる。弾性体としては、ゴム又はバネがある。環の断面形状は、円形でもよいし、四角形等の方形でもよい。伸縮部材１２を当該溝に押さえる漏洩防止リング１４をさらに備えるので、伸縮部材１２を筺体１１に密着させることが容易になる。また、伸縮部材１２及び漏洩防止治具１３の筺体１１からの脱落を容易に防止することができる。
【００４７】
図５は、伸縮部材の他形態を示す模式図である。図５に示す伸縮部材１２ｂは、図１に示されている伸縮部材１２と漏洩防止リング１４とが一体型で構成されている。伸縮部材１２ｂは、例えば、図に示すように、伸縮部材の端部が漏洩防止リング１４を巻き込んだ構成とすることができる。また、伸縮部材１２ｂは、漏洩防止リング１４と接着剤で接着されて一体となっていてもよい。また、釘又はビス等の留め具で一体となっていてもよい。伸縮部材１２ｂは、漏洩防止リング１４とは、同一部材で構成されていてもよい。例えば、伸縮部材１２ｂの端部がリング状に厚くなっているものでもよい。伸縮部材１２ｂは、漏洩防止リング１４が一体型で構成されているので、図１に示す筺体１１の溝３５の位置で固定することが容易であり、かつ、図１に示す伸縮部材１２及び漏洩防止治具１３を適切な位置に装着することが容易になる。これにより、カフからの空気の漏洩をより効率的に防止することができる。また、図１に示す伸縮部材１２及び漏洩防止治具１３の脱落を容易に防止することができる。
【００４８】
図１に示す漏洩防止治具１３は、伸縮部材の外側３４を筺体の外部側面３２の方向Ａに押さえるものである。伸縮部材の外側３４とは、筺体の外部側面２３の一部を覆う伸縮部材１２の外側である。
【００４９】
図６は、漏洩防止治具の第１形態を示す模式図である。図６に示す漏洩防止治具１３ａは、図１に示す筺体の外部側面３２の一部を覆う伸縮部材１２の外側３４を周回する環状のベルト４１である。図１に示すように、漏洩防止リング１４の外側を周回するものでもよい。ベルト４１は、伸縮部材の外側３４を取り巻くことのできる帯状体である。帯状体は、例えば、ゴム又は樹脂等の弾性の大きな部材からなるものでもよいし、金属等の弾性の小さな部材からなるものでもよい。ベルト４１の形状は限定しないが、漏洩防止リング１４の上から筺体の外部側面３２へ押さえるときは、方向Ａに漏洩防止リング１４を固定する溝３５を有することが好ましい。漏洩防止治具１３ａは、帯状体が環状になったものであるので、図１に示した方向Ａへ復元力の働く弾性を有するものが好ましい。弾性を有するものとしては、例えばゴムがある。漏洩防止治具１３ａは環状であるので、筺体の外部側面３２の全周から伸縮部材１２を押さえることができる。これにより、カフ９１からの空気の漏洩をより効率的に防止することができる。
【００５０】
図７は、漏洩防止治具の第２形態を示す模式図である。図７に示す漏洩防止治具１３ｂは、両端部５１ａ、５１ｂに、ネジ４２で端部５１ａ及び端部５１ｂを留めるネジ留め機構を有し、図１に示す筺体の外部側面３２の一部を覆う伸縮部材１２の外側３４を周回するベルト４１である。ベルト４１は、前述の漏洩防止治具の第１形態で説明したものと同様のものを用いることができる。ベルト４１の端部５１ａ及び端部５１ｂでネジ４２を固定する。端部５１ａ及び端部５１ｂは、ネジ４２を貫通させる穴を設けたものでもよいし、いずれか一方にネジ４２が固定されていてもよい。漏洩防止治具１３ｂは、両端部５１ａ、５１ｂを留めるネジ留め機構を有するで、両端部５１ａ、５１ｂの距離Ｂを調整することができる。このネジ留め機構で距離Ｂを短くし、図１に示す方向Ａに伸縮部材１２を押さえることができる。これにより、金属、皮革、布などの弾性の小さな部材のベルト４１であっても漏洩防止治具１３を構成することができる。ベルト４１が弾性の小さな部材であれば、長期にわたり安定して伸縮部材１２を押さえ続けることができる。また、弾性の大きな部材であっても、漏洩防止治具１３を安定して装着することができる。
【００５１】
図８は、漏洩防止治具の第３形態を示す模式図である。図８に示す漏洩防止治具１３ｃは、両端部５２ａ、５２ｂに、鉤で端部５２ａ及び端部５２ｂを留める鉤留め機構を有し、図１に示す筺体の外部側面３２の一部を覆う伸縮部材１２の外側３４を周回するベルト４１である。ベルト４１は、前述の図７で説明したベルト４１と同様のものを用いることができる。鉤は、例えば、一方の端部５２ａの周回方向への凸部５３が、他方の端部５２ｂの周回方向への凹部５４と勘合するものである。凸部と凹部の形状は限定しない。凸部と凹部の形状は勘合しなくてもよく、例えばＣ字状の端部が凸部、Ｃ字状の内側を凹部としてもよい。また、凸部及び凹部が１つずつであるが、２つ以上でもよい。凸部のみが２つ以上であってもよいし、凹部のみが２つ以上であってもよい。また、端部５２ａ及び端部５２ｂは、ベルト４１と異なる部材でもよいが、同一部材であってもよい。端部５２ａ及び端部５２ｂを留める鉤留め機構を有するで、漏洩防止治具１３ｃを簡単に着脱できる。これにより、図１に示す漏洩防止治具１３の筺体１１からの脱落を容易に防止し、かつ、筺体の内部１からの空気の漏洩を簡単に防止することができる。さらに、凸部及び凹部が２つ以上であれば、鉤を掛ける箇所を可変して伸縮部材１２を押さえる力を可変することができる。
【００５２】
図９は、漏洩防止治具の第４形態を示す模式図である。図９に示す漏洩防止治具１３ｄは、図１に示されている筺体の外部側面３２の一部を覆う伸縮部材１２の外側３４を略半周するＣ字状の弾性体である。弾性体は、前述の漏洩防止リング１４で説明したものが例示できる。図９では、筺体１１として、開放された１の面が楕円形のものが示されており、伸縮部材は省略した。Ｃ字状の弾性体は、開放された１の面の形状に沿った形状であることが好ましい。また、Ｃ字状の弾性体は、図９に示すように、半周よりも大きいことが好ましい。Ｃ字状の弾性体が伸縮部材の外側を略半周することで、伸縮部材を筺体１１に押さえることができる。漏洩防止治具１３ｄは、Ｃ字状の弾性体であるので、着脱が容易である。これにより、空気の漏洩を簡単に防止することができる。また、漏洩防止治具１３ｂの筺体１１からの脱落を容易に防止することができる。
【００５３】
図１０は、漏洩防止治具の第５形態を示す模式図である。図１０に示す漏洩防止治具１３ｅは、筺体１１の底部３６及び外部側面３２の一部を覆う伸縮部材１２の外側から覆う容器である。また、筺体１１の底部３６の一部及び外部側面３２の一部を覆うコの字型のアームとしてもよい。漏洩防止治具１３ｅは、筺体１１の外部側面３２の一部及び底部３６の一部を覆うので、漏洩防止治具１３ｅの脱落を防ぐことができる。
【００５４】
図１１は、漏洩防止治具の第６形態を示す模式図である。図１１に示す漏洩防止治具１３ｆは、図１で説明した漏洩防止治具１３と漏洩防止リング１４とが一体型で構成されている。一体型は、同一部材で構成されていてもよいが、異なる部材で構成されていてもよい。例えば、接着剤で接着されて一体となっていてもよいし、釘又はビス等の留め具で一体となっていてもよい。漏洩防止治具と漏洩防止リングが一体であるので、図１に示した漏洩防止治具１３を筺体の外部側面３２に設けられた溝３５に容易に装着できる。また、漏洩防止治具１３の脱落を容易に防止することができる。また、漏洩防止治具１３は漏洩防止リング１４を効率よく押さえることができる。
【００５５】
さらに、伸縮部材１２と漏洩防止治具１３と漏洩防止リング１４は一体型で構成されていてもよい。一体型は、接着剤で接着されて一体となっていてもよいし、釘又はビス等の留め具で一体となっていてもよい。伸縮部材１２と漏洩防止治具１３と漏洩防止リング１４が一体であるので、伸縮部材１２、漏洩防止治具１３及び漏洩防止リング１４の筺体１１の溝３５への装着が容易である。これにより、伸縮部材１２、漏洩防止治具１３及び漏洩防止治具１３を適切な位置に装着することが容易になるので、カフ９１からの空気の漏洩をより効率的に防止することができる。また、伸縮部材１２、漏洩防止治具１３及び漏洩防止リング１４の脱落を容易に防止することができる。
【００５６】
図１に示すカフ９１を用いた血圧計の動作について図１及び図１２を参照して説明する。図１２は、血圧値の測定例を示すグラフであり、（ａ）は圧力の時間推移、（ｂ）は脈波信号振幅の時間推移を示す。図１２（ａ）では、心臓の鼓動による被検体の一部の周期的な動脈内圧６１と、押圧面３３が被検体１０１を押圧する圧力である押圧圧力値６２とを示す。図１２（ｂ）に示す脈動波形６３は、被検体１０１の脈動波形である。
【００５７】
空気ポンプ（不図示）は、吸気を開始し、空気流路１５を介して筺体の内部１へ空気を供給する。空気を供給されたカフは、筺体の内部１の圧力が増加し、伸縮部材１２の押圧面３３が被検体１０１へ向かって膨張する。空気ポンプ（不図示）は、圧力値Ｐ０まで押圧圧力値６２を増加させる。ここで、圧力値Ｐ０は動脈の血流が停止する程の圧力であり、このときの時間をＴ０とする。時間Ｔ０では、脈動波形６３はほぼ検出されない。
【００５８】
ここで、漏洩防止リング１４は、伸縮部材１２を筺体の外部側面３２の溝３５の部分で押さえている。また、漏洩防止治具１３は、漏洩防止リング１４を筺体の外部側面３２の方向Ａに押さえている。これにより、筺体の外部側面３２と伸縮部材１２との間を密着させ、筺体の内部１の空気の筺体１１の外部への漏洩を防ぐことができる。さらに、筺体１１の外部への空気の漏洩を防ぐことができるので、カフ９１は押圧面３３で被検体１０１を効率よく押圧することができる。
【００５９】
空気ポンプ（不図示）は、時間Ｔ０から排気を開始し、押圧圧力値６２を徐々に減少させていく。押圧圧力値６２が動脈内圧６１の最高値と等しくなった時間Ｔ１から被検体１０１に血液が流れ始め、脈動波形６３が出現する。この時間Ｔ１での押圧圧力値６２が収縮期血圧値Ｐ１となる。時間Ｔ１から脈動波形６３の振幅は徐々に高くなり、時間Ｔ２で最大となる。この時間Ｔ２での押圧圧力値６２が、動脈内圧６１の拡張期血圧値Ｐ２となる。このようにして、収縮期血圧値Ｐ１、拡張期血圧値Ｐ２を決定し、血圧値を測定することができる。なお、血圧値の測定方法は上記に限定されるものではない。
【００６０】
以上説明したように、本実施形態に係るカフ９１は、筺体１１の前記１の面３１を覆う伸縮部材１２が伸縮するので、筺体１１内の空気圧を増大して被検体１０１の一部を押圧面３３で押圧することができる。このとき、筺体１１内と筺体１１外の気圧差が大きくなっても、漏洩防止治具１３が筺体の外部側面３２側の伸縮部材１２を押さえているので、筺体１１と伸縮部材１２との間からの空気の漏洩を防止し、かつ、伸縮部材１２の筺体１１からの脱落を容易に防止することができる。また、筺体の内部１の空気が漏洩しないので、押圧面３３を効率的に膨張させることができる。したがって、空気の漏洩を防止することのできるカフ９１を提供することができる。さらに、押圧面３３が被検体１０１を押圧する押圧圧力値を安定させることができるので、被検体１０１の血圧値を精度よく測定することができる。
【００６１】
（実施形態２）
図１３は、実施形態２に係るカフの断面図である。図１３に示すカフ９２は、１の面３１が開放された筺体１６と、当該開放された１の面３１及び当該１の面３１に対する筺体の外部側面３８の一部を覆って、１の面３１の側に押圧面３３を形成する伸縮部材１２と、筺体の外部側面３８に筺体１６と一体に構成され、伸縮部材１２の一部を筺体の外部側面３８とで挟み込む挟み込み部３７と、を備える。カフ９２は、さらに、筺体の外部側面３８の一部を覆う伸縮部材１２を溝３５に押さえる漏洩防止リング１４を含む。ここで、伸縮部材１２の一部とは、筺体の外部側面３８の一部を覆っている伸縮部材１２の一部である。
【００６２】
伸縮部材１２は、前述の実施形態１で説明したものと同様のものを用いることができる。
【００６３】
筺体１６は、前述の実施形態１で説明した筺体１１に挟み込み部３７が設けられたものである。挟み込み部３７は、筺体の外部側面３８に筺体１６と一体に構成されており、伸縮部材１２の一部を筺体の外部側面３８とで挟み込むものである。挟み込み部３７と外部側面３２の間は開閉可能であることが好ましく、開閉可能であれば伸縮部材１２の筺体１６への組み込みを容易にすることができる。挟み込み部３７が伸縮部材１２の一部を挟むので、伸縮部材１２の一部を筺体の外部側面３８に密着させることができる。
【００６４】
また、筺体１６は、筺体の外部側面３８を周回する溝３５を有することが好ましい。筺体の外部側面３８を周回する溝３５は、前述の実施形態１で説明したものと同様のものを用いることができる。
【００６５】
漏洩防止リング１４は、筺体の外部側面３８の一部を覆う伸縮部材１２を溝３５に押さえるものである。漏洩防止リング１４は、前述の実施形態１で説明したものと同様のものを用いることができる。伸縮部材１２は筺体１６の溝３５に押さえる漏洩防止リング１４を含むので、伸縮部材１２を筺体１６に密着させることができる。これにより、挟み込み部３７は、筺体の外部側面３８の一定の部分を押さえることができるので、カフ９２からの空気の漏洩をより効率的に防止することができる。
【００６６】
以上説明したように、本実施形態に係るカフ９２は、筺体の１の面３１を覆う伸縮部材１２が伸縮するので、筺体１６内の空気圧を増大して被検体の一部を押圧面３３で押圧することができる。このとき、筺体１６内と筺体１６外の気圧差が大きくなっても、挟み込み部３７が筺体の外部側面３８側の伸縮部材１２を押さえているので、筺体１６と伸縮部材１２との間からの空気の漏洩を防止することができる。したがって、空気の漏洩を防止することのできるカフを提供することができる。さらに、挟み込み部３７が筺体１６と一体となっているので、伸縮部材１２及び漏洩防止リング１４脱落を容易に防止することができる。
【００６７】
（実施形態３）
図１４は、実施形態３に係るカフの断面図である。図１４に示すカフ９３は、図１３で説明した挟み込み部３７を筺体の外部側面３８の方向Ａに押し付ける押し付け機構１８をさらに備える。図１４では、カフ９２で説明した挟み込み部３７は省略されている。また、カフ９３は、筺体１１及び漏洩防止リング１４を保持する台座５７ａと、台座５７ａ及び押し付け機構１８を保持する台座５７ｂとを含む。
【００６８】
図１５は、漏洩防止リング１４の一例であり、（ａ）は上面図、（ｂ）は側面図を示す。図１６は、伸縮部材１２の一例であり、（ａ）は上面図、（ｂ）は側面図を示す。図１６は、伸縮部材１２が図１４に示す筺体１１に取り付けられた状態を示す。図１５及び図１６に示すように、図１４に示す漏洩防止リング１４は、円形の筺体１６の周囲を覆う伸縮部材１２の外部側面を方向Ａへ押さえる環状体となっている。漏洩防止リング１４は前述の実施形態１で説明した漏洩防止リング１４と同様のものを用いることができる。
【００６９】
図１４に示す押し付け機構１８ａ、１８ｂは、挟み込み部３７を筺体の外部側面３８の方向Ａに押し付けるものである。例えば、漏洩防止リング１４の上から挟み込み部（不図示）を押さえる押し付け部５５ａ、５５ｂと、台座５７ｂに固定され、押し付け部５５を回動させる回動部５６ａ、５６ｂとを含むものでもよい。押し付け部５５ａ、５５ｂは、例えば、漏洩防止リング１４を押さえるものである。例えば、金属又は強化プラスチック等の強度の高い部材で形成されている棒状体である。回動部５６ａ、５６ｂは、例えば、押し付け部５５ａ、５５ｂを回動させ、漏洩防止リング１４の方向Ａに押さえ付けるものである。回動部５６は、漏洩防止リング１４の方向Ａに力を加え続けるバネが含まれていてもよい。また、回動部５６は、漏洩防止リング１４を押さえ付ける角度で固定できるものでもよい。図１４では、押し付け機構１８が２個の例について説明したが、押し付け機構１８は３個以上であってもよい。
【００７０】
以上説明したように、本実施形態に係るカフ９３は、押し付け機構１８が挟み込み部を筺体の外部側面３８に押し付けるので、伸縮部材１２の脱落を容易に防止することができる。また、挟み込み部３７が伸縮部材１２を押さえる力を強くすることができるので、カフ９３からの空気の漏洩をより効率的に防止することができる。
【産業上の利用可能性】
【００７１】
本発明は、開口部が伸縮部材で覆われた筺体からの空気の漏洩を防止することができるので、押圧する圧力を一定に保つクッションとしても利用できる。
【図面の簡単な説明】
【００７２】
【図１】実施形態１に係るカフの断面図である。
【図２】筺体の第１形態を示す上面図である。
【図３】筺体の第２形態を示す上面図である。
【図４】筺体のピックアップ図である。
【図５】伸縮部材の他形態を示す模式図である。
【図６】漏洩防止治具の第１形態を示す模式図である。
【図７】漏洩防止治具の第２形態を示す模式図である。
【図８】漏洩防止治具の第３形態を示す模式図である。
【図９】漏洩防止治具の第４形態を示す模式図である。
【図１０】漏洩防止治具の第５形態を示す模式図である。
【図１１】漏洩防止治具の第６形態を示す模式図である。
【図１２】血圧値の測定例を示すグラフであり、（ａ）は圧力の時間推移、（ｂ）は脈波信号振幅の時間推移を示す。
【図１３】実施形態２に係るカフの断面図である。
【図１４】実施形態３に係るカフの断面図である。
【図１５】漏洩防止リングの一例であり、（ａ）は上面図、（ｂ）は側面図を示す。
【図１６】伸縮部材の一例であり、（ａ）は上面図、（ｂ）は側面図を示す。
【符号の説明】
【００７３】
1  筺体の内部
１１、１６  筺体
１２  伸縮部材
１３  漏洩防止治具
１４  漏洩防止リング
１５  空気流路
１８  押し付け機構
３１  筺体の開放された１の面
３２、３８  筺体の外部側面
３３  押圧面
３４  伸縮部材の外側
３５  筺体の溝
３６  筺体の底部
３７  挟み込み部
４１  ベルト
４２  ネジ
５１、５２  端部
５３  凸部
５４  凹部
５５  押し付け部
５６  回動部
５７  台座
６１  動脈内圧
６２  押圧圧力値
６３  脈動波形
９１、９２、９３  カフ
１０１  被検体
Ａ  押し付ける方向
Ｂ  両端部の距離
【図１】
2006325880.tif 000003
【図２】
2006325880.tif 000004
【図３】
2006325880.tif 000005
【図４】
2006325880.tif 000006
【図５】
2006325880.tif 000007
【図６】
2006325880.tif 000008
【図７】
2006325880.tif 000009
【図８】
2006325880.tif 000010
【図９】
2006325880.tif 000011
【図１０】
2006325880.tif 000012
【図１１】
2006325880.tif 000013
【図１２】
2006325880.tif 000014
【図１３】
2006325880.tif 000015
【図１４】
2006325880.tif 000016
【図１５】
2006325880.tif 000017
【図１６】
2006325880.tif 000018